(57)【特許請求の範囲】
【請求項１】
ＩＤ媒体の情報を読取りこの情報が適正な場合に入退場を許可する入退場管理システムにおいて、
入退場の各入口又は出口に設けられ入場又は退場のための錠を操作する複数の錠コントローラと、
前記各錠コントローラと接続され、ＩＤ媒体の情報を読取りこの情報が適正な場合に錠コントローラに対する解錠または施錠のためのコマンドを送出する複数の読取装置と、
前記各錠コントローラおよび各読取装置と接続され、各読取装置に対して該読取装置がどの錠コントローラに対して解錠または施錠のためのコマンドを送出するかを設定するとともに、前記各錠コントローラに対して該錠コントローラがどの読取装置に対してステータス情報を送出するかを設定する中央制御装置と、
を具備したことを特徴とする入退場管理システム。
【請求項２】
ＩＤ媒体の情報を読取りこの情報が適正な場合に入退場を許可する入退場管理システムにおいて、
入退場の各入口又は出口に設けられ入場又は退場のための錠を操作する複数の錠コントローラと、
前記各錠コントローラと接続され、ＩＤ媒体の情報を読取りこの情報が適正な場合に錠コントローラに対する解錠または施錠のためのコマンドを送出する複数の読取装置と、
前記各錠コントローラおよび各読取装置と接続され、各錠コントローラに対して該錠コントローラがどの読取装置から解錠または施錠のためのコマンドを受け取るかを設定するとともに、前記各錠コントローラに対して該錠コントローラがどの読取装置に対してステータス情報を送出するかを設定する中央制御装置と、
を具備したことを特徴とする入退場管理システム。
【請求項３】
前記各読取装置は、それぞれ第２の識別コードを保有しており、前記中央制御装置は、前記各錠コントローラに対してステータス情報を送出する読取装置の第２の識別コードを通知することを特徴とする請求項１または請求項２記載の入退場管理システム。
【請求項４】
ＩＤ媒体の情報を読取りこの情報が適正な場合に入退場を許可する入退場管理システムにおいて、
入退場の各入口又は出口に設けられ入場又は退場のための錠を操作する複数の錠コントローラと、
前記各錠コントローラと接続され、ＩＤ媒体の情報を読取りこの情報が適正な場合に錠コントローラに対する解錠または施錠のためのコマンドを送出するもので、それぞれ第２の識別コードを保有している複数の読取装置と、
前記各錠コントローラおよび各読取装置と接続され、各錠コントローラに対して該錠コントローラがどの読取装置から解錠または施錠のためのコマンドを受け取るかを設定するとともに、前記各錠コントローラに対してコマンドを受け取る読取装置の第２の識別コードを通知する中央制御装置と、
を具備したことを特徴とする入退場管理システム。
【請求項５】
ＩＤ媒体の情報を読取りこの情報が適正な場合に入退場を許可する入退場管理システムにおいて、
入退場の各入口又は出口に設けられ入場又は退場のための錠を操作する複数の錠コントローラと、
前記各錠コントローラと接続され、ＩＤ媒体の情報を読取りこの情報が適正な場合に錠コントローラに対する解錠または施錠のためのコマンドを送出する複数の読取装置と、
前記各錠コントローラおよび各読取装置と接続され、前記各読取装置に対して該読取装置がどの錠コントローラに対して解錠または施錠のためのコマンドを送出するかを設定するとともに、前記各錠コントローラに対して該錠コントローラがどの読取装置から解錠または施錠のためのコマンドを受け取るかを設定し、かつ、前記各錠コントローラに対して該錠コントローラがどの読取装置に対してステータス情報を送出するかを設定するとともに、前記各読取装置に対して該読取装置がどの錠コントローラからステータス情報を受け取るかを設定する中央制御装置と、
を具備したことを特徴とする入退場管理システム。
【請求項６】
入退場の各入口又は出口に設けられ入場又は退場のための錠を操作する複数の錠コントローラと、前記各錠コントローラと接続されＩＤ媒体の情報を読取りこの情報が適正な場合に錠コントローラに対する解錠または施錠のためのコマンドを送出する複数の読取装置と、前記各錠コントローラおよび各読取装置と接続された中央制御装置とを具備した入退場管理システムにおいて、
前記中央制御装置において各錠コントローラがどの読取装置と通信を行うかの通信制御情報を作成保持し、
この通信制御情報を各錠コントローラに送信し、
各錠コントローラは受信した通信制御情報に基づいて通信制御情報により指定されている読取装置との間で通信を行うことを特徴とする入退場管理システムの制御方法。
【発明の詳細な説明】
【０００１】
【発明の属する技術分野】
この発明は、例えば部屋の出入口扉に設置した電気錠を管理する入退場管理システムおよびその制御方法に関する。
【０００２】
【従来の技術】
ＩＤカードに記録された情報を読取装置、いわゆるＩＤカードリーダで読取り、その読取り情報が適正な場合に出入口扉の電気錠を解錠操作または施錠操作する入退場管理システムがある。
【０００３】
この場合、電気錠に対する入場用の解錠操作または退場用の施錠操作を行うために電気錠コントローラが用意され、それとＩＤカードリーダとが信号線接続される。そして、解錠または施錠のためのコマンド情報がＩＤカードリーダから信号線へ送出され、そのコマンド情報が電気錠コントローラに取込まれて解錠または施錠が行なわれる。また、電気錠コントローラの処置を表わすステータス情報が電気錠コントローラから信号線へ送出され、そのステータス情報がＩＤカードリーダに取込まれて適宜な報知が行なわれる。
【０００４】
【発明が解決しようとする課題】
上記のような入退場管理システムでは、例えば、ＩＤカードリーダを複数個設けたり、一個のＩＤカードリーダに複数個の電気錠（および電気錠コントローラ）に対応させるなど、複雑化および多様化が進む傾向にある。
【０００５】
このような複雑化および多様化が進む状況の下では、ＩＤカードリーダと電気錠コントローラとの配線が複雑化したり、誤配線が生じ易くなるなど、種々の不具合を生じてしまう。しかも、ＩＤカードリーダや電気錠の追加や削除に際しては、その都度、配線作業のやり直しが必要となる。
【０００６】
この発明は上記の事情を考慮したもので、その目的とするところは、読取装置や錠の追加や削除に際し、配線のやり直しを要することなく、ひいては誤配線を生じることもなく、容易かつ迅速に対応して常に適切な錠管理が可能な入退場管理システムを提供することにある。
また、この発明は、同様の目的の入退場管理システムの制御方法を提供することにある。
【０００７】
【課題を解決するための手段】
本発明の入退場管理システムは、ＩＤ媒体の情報を読取りこの情報が適正な場合に入退場を許可する入退場管理システムにおいて、入退場の各入口又は出口に設けられ入場又は退場のための錠を操作する複数の錠コントローラと、前記各錠コントローラと接続され、ＩＤ媒体の情報を読取りこの情報が適正な場合に錠コントローラに対する解錠または施錠のためのコマンドを送出する複数の読取装置と、前記各錠コントローラおよび各読取装置と接続され、各読取装置に対して該読取装置がどの錠コントローラに対して解錠または施錠のためのコマンドを送出するかを設定するとともに、前記各錠コントローラに対して該錠コントローラがどの読取装置に対してステータス情報を送出するかを設定する中央制御装置とを具備している。
【０００８】
また、本発明の入退場管理システムは、ＩＤ媒体の情報を読取りこの情報が適正な場合に入退場を許可する入退場管理システムにおいて、入退場の各入口又は出口に設けられ入場又は退場のための錠を操作する複数の錠コントローラと、前記各錠コントローラと接続され、ＩＤ媒体の情報を読取りこの情報が適正な場合に錠コントローラに対する解錠または施錠のためのコマンドを送出する複数の読取装置と、前記各錠コントローラおよび各読取装置と接続され、各錠コントローラに対して該錠コントローラがどの読取装置から解錠または施錠のためのコマンドを受け取るかを設定するとともに、前記各錠コントローラに対して該錠コントローラがどの読取装置に対してステータス情報を送出するかを設定する中央制御装置とを具備している。
【０００９】
また、本発明の入退場管理システムは、ＩＤ媒体の情報を読取りこの情報が適正な場合に入退場を許可する入退場管理システムにおいて、入退場の各入口又は出口に設けられ入場又は退場のための錠を操作する複数の錠コントローラと、前記各錠コントローラと接続され、ＩＤ媒体の情報を読取りこの情報が適正な場合に錠コントローラに対する解錠または施錠のためのコマンドを送出するもので、それぞれ第２の識別コードを保有している複数の読取装置と、前記各錠コントローラおよび各読取装置と接続され、各錠コントローラに対して該錠コントローラがどの読取装置から解錠または施錠のためのコマンドを受け取るかを設定するとともに、前記各錠コントローラに対してコマンドを受け取る読取装置の第２の識別コードを通知する中央制御装置とを具備している。
【００１０】
また、本発明の入退場管理システムは、ＩＤ媒体の情報を読取りこの情報が適正な場合に入退場を許可する入退場管理システムにおいて、入退場の各入口又は出口に設けられ入場又は退場のための錠を操作する複数の錠コントローラと、前記各錠コントローラと接続され、ＩＤ媒体の情報を読取りこの情報が適正な場合に錠コントローラに対する解錠または施錠のためのコマンドを送出する複数の読取装置と、前記各錠コントローラおよび各読取装置と接続され、前記各読取装置に対して該読取装置がどの錠コントローラに対して解錠または施錠のためのコマンドを送出するかを設定するとともに、前記各錠コントローラに対して該錠コントローラがどの読取装置から解錠または施錠のためのコマンドを受け取るかを設定し、かつ、前記各錠コントローラに対して該錠コントローラがどの読取装置に対してステータス情報を送出するかを設定するとともに、前記各読取装置に対して該読取装置がどの錠コントローラからステータス情報を受け取るかを設定する中央制御装置とを具備している。
【００１１】
さらに、本発明の入退場管理システムの制御方法は、入退場の各入口又は出口に設けられ入場又は退場のための錠を操作する複数の錠コントローラと、前記各錠コントローラと接続されＩＤ媒体の情報を読取りこの情報が適正な場合に錠コントローラに対する解錠または施錠のためのコマンドを送出する複数の読取装置と、前記各錠コントローラおよび各読取装置と接続された中央制御装置とを具備した入退場管理システムにおいて、前記中央制御装置において各錠コントローラがどの読取装置と通信を行うかの通信制御情報を作成保持し、この通信制御情報を各錠コントローラに送信し、各錠コントローラは受信した通信制御情報に基づいて通信制御情報により指定されている読取装置との間で通信を行うことを特徴とする。
【００１９】
【発明の実施の形態】
以下、この発明の一実施例について図面を参照して説明する。
図１に示すように、複数個たとえば２個のＩＤカードリーダ１１，１２、複数個たとえば３個の電気錠コントローラ２１，２２，２３、および中央制御装置１が信号線によりネットワーク接続される。そして、電気錠コントローラ２１，  ２２，２３に入場又は退場のための電気錠３１，３２，３３が接続される。
【００２０】
ＩＤカードリーダ１１，１２は、入室希望者が所有するＩＤ媒体たとえばＩＤカードＣの情報を読取る読取装置であり、読取り情報が適正な場合に電気錠コントローラに対する解錠または施錠のためのコマンド情報を送出するとともに、それぞれ通信用識別コード（第２の識別コード）を有している。
【００２１】
ＩＤカードリーダ１１の通信用識別コードとしては、出力用のＤＣ１−ＣＭＤ  、入力用のＤＣ１−ＳＴＳ  が設定されている。ＩＤカードリーダ１２の通信用識別コードとしては、出力用のＤＣ２−ＣＭＤ  、入力用のＤＣ２−ＳＴＳ  が設定されている。
【００２２】
電気錠コントローラ２１，２２，２３は、ＩＤカードリーダ１１，１２のうち、対応するＩＤカードリーダ（後述の通信制御情報にて対応付けられた通信用識別コードを持つＩＤカードリーダ）から送出されるコマンド情報を取込み、取込んだコマンド情報に応じて電気錠３１，３２，３３をそれぞれ操作し、その処置を表わすステータス情報を送出するとともに、それぞれ通信用識別コード（第１の識別コード）を有する。
【００２３】
電気錠コントローラ２１の通信用識別コードとしては、入力用のＣＲ１−ＣＭＤ  、出力用のＣＲ１−ＳＴＳ  が設定されている。電気錠コントローラ２２の通信用識別コードとして、入力用のＣＲ２−ＣＭＤ  、出力用のＣＲ２−ＳＴＳ  が設定されている。電気錠コントローラ２３の通信用識別コードとしては、入力用のＣＲ３−ＣＭＤ  、出力用のＣＲ３−ＳＴＳ  が設定されている。
【００２４】
電気錠３１，３２，３３は、部屋の出入口扉に設置され、対応する電気錠コントローラによって施錠操作および解錠操作される。
中央制御装置１は、付属の入力装置（キーボード等）２からの入力情報に基づき、ＩＤカードリーダ１１，１２の通信用識別コードと電気錠コントローラ２１，２２，２３の通信用識別コードとを通信対象として対応付けた通信制御情報を作成保持し、それをネットワークを介してＩＤカードリーダ１１，１２および電気錠コントローラ２１，２２，２３に転送する。通信制御情報により、ＩＤカードリーダ１１，１２が電気錠コントローラ２１，２２，２３のどれに対してコマンド情報を送出するかが設定されるとともに、電気錠コントローラ２１，２２，２３がＩＤカードリーダ１１，１２のどれに対してステータス情報を送出するかが設定される。
【００２５】
通信制御情報の例を図２に示す。すなわち、ＩＤカードリーダ１１の通信用識別コード（出力用）ＤＣ１−ＣＭＤ  と電気錠コントローラ２１の通信用識別コード（入力用）ＣＲ１−ＣＭＤ  とが通信対象として対応付けられ、さらに、ＩＤカードリーダ  １１の通信用識別コード（入力用）ＤＣ１−ＳＴＳ  と電気錠コントローラ２１の通信用識別コード（出力用）ＣＲ１−ＳＴＳ  とが通信対象として対応付けられている。
【００２６】
ＩＤカードリーダ１２の通信用識別コード（出力用）ＤＣ２−ＣＭＤ  と電気錠コントローラ２２の通信用識別コード（入力用）ＣＲ２−ＣＭＤ  とが通信対象として対応付けられ、さらに、ＩＤカードリーダ１２の通信用識別コード（入力用）ＤＣ２−ＳＴＳ  と電気錠コントローラ２２の通信用識別コード（出力用）ＣＲ２−ＳＴＳ  とが通信対象として対応付けられている。
【００２７】
ＩＤカードリーダ１２の通信用識別コード（出力用）ＤＣ２−ＣＭＤ  と電気錠コントローラ２３の通信用識別コード（入力用）ＣＲ３−ＣＭＤ  とが通信対象として対応付けられ、さらに、ＩＤカードリーダ１２の通信用識別コード（入力用）ＤＣ２−ＳＴＳ  と電気錠コントローラ２３の通信用識別コード（出力用）ＣＲ３−ＳＴＳ  とが通信対象として対応付けられている。
【００２８】
なお、ＩＤカードリーダ１１，１２は、電気錠コントローラ２１，２２，２３から送出されるステータス情報のうち、通信制御情報にて対応付けられた通信用識別コードを持つ電気錠コントローラのステータス情報のみ取込む制御手段を有する。
【００２９】
また、ＩＤカードリーダ１１，１２は、図３に示すように、筐体の前面に電源ランプ４１、液晶表示器４２、カード挿入スリット４３を有し、そのカード挿入スリット４３と対応する位置にデータ読取用の磁気ヘッド４４を内臓するとともに、側面部に電源用コネクタ４５および通信用コネクタ４６を備える。
【００３０】
さらに、ＩＤカードリーダ１１，１２は、図４に示すように、主制御部であるところのＣＰＵ５０を備える。このＣＰＵ５０に、ＲＯＭ５１、ＲＡＭ５２、電源コントローラ５３、通信インタフェイス５４、読取インタフェイス５５、および表示インタフェイス５６が接続される。
【００３１】
ＲＯＭ５１は、制御用のプログラムを記憶している。ＲＡＭ５２は、データ記憶用で、上記通信制御情報を記憶するための通信制御テーブルを有する。通信インタフェイス５４は、ネットワークへのデータ送出およびネットワークからのデータ取込を行う。読取インタフェイス５５は、上記磁気ヘッド４４を制御する。表示インタフェイス５６は、上記電源ランプ４１および液晶表示器４２を制御する。
【００３２】
一方、電気錠コントローラ２１，２２，２３は、図５に示すように、筐体の前面に電源ランプ６１を有するとともに、側面部に電気錠用コネクタ６２、電源用コネクタ６３、および通信用コネクタ６４を備える。
【００３３】
さらに、電気錠コントローラ２１，２２，２３は、図６に示すように、主制御部であるところのＣＰＵ７０を備える。このＣＰＵ７０に、ＲＯＭ７１、ＲＡＭ７２、電源コントローラ７３、通信インタフェイス７４、および電気錠インタフェイス７５が接続される。
【００３４】
ＲＯＭ７１は、制御用のプログラムを記憶している。ＲＡＭ７２は、データ記憶用で、上記通信制御情報を記憶するための通信制御テーブルを有する。通信インタフェイス７４は、ネットワークへのデータ送出およびネットワークからのデータ取込を行う。電気錠インタフェイス７５は、上記電気錠３１，３２，３３をそれぞれ制御する。
【００３５】
つぎに、上記の構成の作用をフローチャートを参照して説明する。
まず、中央制御装置１の作用を図７のフローチャートに示している。
入力装置２で設定モードが設定されると（ステップ１０１  ）、中央制御装置１からネットワーク上の各機器（ＩＤカードリーダおよび電気錠コントローラ）に対し、転送要求指令が送られる（ステップ）。この転送要求指令に基づいて各機器から通信用識別コードが送出されると、それが中央制御装置１に取込まれる（ステップ１０３  ）。中央制御装置１では、係員の操作などによって入力装置２から入力される条件に従い、各機器から送られる通信用識別コードを対応付けて、上記の通信用制御情報を設定する（ステップ１０４  ）。設定された通信用制御情報はネットワーク上の各機器にダウンロードされる（ステップ１０５  ）。
【００３６】
通信用制御情報については、入力装置２での係員操作により、適宜に変更することができる。例えば、ＩＤカードリーダや電気錠コントローラ（および電気錠）の個数が増減した場合、それに応じて通信用制御情報を変更することが可能である。
【００３７】
図８のフローチャートは電気錠コントローラ２１，２２，２３の作用を示している。
中央制御装置１からの転送要求指令が電気錠コントローラ２１，２２，２３に入ると（ステップ２０１  のＹＥＳ  ）、電気錠コントローラ２１，２２，２３から中央制御装置１に向けて通信用識別コードが送出される（ステップ２０２  ）。そして、中央制御装置１からダウンロードされる通信制御情報が電気錠コントローラ２１，２２，２３に取込まれ、それぞれの通信制御テーブルに記憶される（ステップ２０３  ）。
【００３８】
電気錠コントローラ２１，２２，２３は、ＩＤカードリーダ１１，１２からネットワーク上に送出されるコマンド情報を監視し、通信制御テーブルにおける通信制御情報にて対応付けられた通信用識別コードを持つＩＤカードリーダのコマンド情報のみ取込む（ステップ２０４  ）。
【００３９】
コマンド情報の取込みが完了すると（ステップ２０５  のＹＥＳ  ）、そのコマンド情報に応じて電気錠３１，３２，３３が例えば解錠操作され、その解錠操作から所定時間後、電気錠３１，３２，３３が自動的に施錠操作される（ステップ２０６  ）。そして、この電気錠への処置を表わすステータス情報が電気錠コントローラ  ２１，２２，２３からネットワーク上に送出される（ステップ２０７  ）。
【００４０】
図９のフローチャートはＩＤカードリーダ１１，１２の作用を示している。
中央制御装置１からの転送要求指令がＩＤカードリーダ１１，１２に入ると（ステップ３０１  のＹＥＳ  ）、ＩＤカードリーダ１１，１２から中央制御装置１に向けて通信用識別コードが送出される（ステップ３０２  ）。そして、中央制御装置１でからダウンロードされる通信制御情報がＩＤカードリーダ１１，１２に取込まれ、それぞれの通信制御テーブルに記憶される（ステップ３０３  ）。
【００４１】
ＩＤカードリーダ１１，１２のいずれかのカード挿入スリット４３にＩＤカードＣが挿入されると（ステップ３０４  のＹＥＳ  ）、そのＩＤカードＣに記録されている磁気情報が磁気ヘッド４４で読取られる（ステップ３０５  ）。
【００４２】
読取り情報が適正か否かの判定がＩＤカードリーダ１１または１２でなされ（ステップ３０６  ）、適正であれば（ステップ３０７  のＹＥＳ  ）、解錠のためのコマンド情報がＩＤカードリーダ１１または１２からネットワーク上に送出される（ステップ３０８  ）。
【００４３】
また、コマンド情報を送出したＩＤカードリーダ１１または１２は、電気錠コントローラ２１，２２，２３からネットワーク上に送出されるステータス情報を監視し、通信制御テーブルにおける通信制御情報にて対応付けられた通信用識別コードを持つ電気錠コントローラのステータス情報のみ取込む（ステップ３０９  ）。ステータス情報の取込みが完了すると（ステップ３１０  のＹＥＳ  ）、そのステータス情報に応じた内容がＩＤカードリーダ１１または１２の液晶表示器４２で報知される（ステップ３１１  ）。
【００４４】
読取り情報が適正でない場合は（ステップ３０７  のＮＯ）、その旨がＩＤカードリーダ１１または１２の液晶表示器４２で報知される（ステップ３１２  ）。
このように、各ＩＤカードリーダと各電気錠コントローラ（および電気錠）とを通信対象として対応付けるための通信制御情報を中央制御装置１で可変設定し、それを各ＩＤカードリーダおよび各電気錠コントローラにダウンロードし、各ＩＤカードリーダおよび各電気錠コントローラではダウンロードされた通信制御情報に基づいて対応機器を判別しつつ情報の取込みを行うことにより、ＩＤカードリーダや電気錠コントローラ（および電気錠）の追加や削除に際し、配線のやり直しを要することなく、ひいては誤配線を生じることもなく、容易かつ迅速に対応して常に適切な電気錠管理を行うことができる。
【００４５】
なお、上記実施例では、ＩＤカードＣの情報を磁気ヘッドで読取る接触式のＩＤカードリーダを例に説明したが、ＩＤカードＣの情報を無線通信により読取る無線式のＩＤカードリーダである場合にも同様に実施可能である。
その他、この発明は上記実施例に限定されるものではなく、要旨を変えない範囲で種々変形実施可能である。
【００４６】
【発明の効果】
以上述べたようにこの発明によれば、解錠または施錠のためのコマンドを各読取装置からどの錠コントローラに送出するかを設定する構成としたので、読取装置や錠の追加や削除に際し、配線のやり直しを要することなく、ひいては誤配線を生じることもなく、容易かつ迅速に対応して常に適切な錠管理が可能な入退場管理システムを提供できる。
【００４７】
また、この発明によれば、読取装置や錠の追加や削除に際し、配線のやり直しを要することなく、ひいては誤配線を生じることもなく、容易かつ迅速に対応して常に適切な錠管理が可能な入退場管理システムの制御方法を提供できる。
【図面の簡単な説明】
【図１】一実施例の全体的な構成を示すブロック図。
【図２】同実施例の通信制御情報のフォーマットを示す図。
【図３】同実施例のＩＤカードリーダの外観図。
【図４】同実施例のＩＤカードリーダの構成を示すブロック図。
【図５】同実施例の電気錠コントローラの外観図。
【図６】同実施例の電気錠コントローラの構成を示すブロック図。
【図７】同実施例の中央制御装置の作用を説明するためのフローチャート。
【図８】同実施例の電気錠コントローラの作用を説明するためのフローチャート。
【図９】同実施例のＩＤカードリーダの作用を説明するためのフローチャート。
【符号の説明】
１…中央制御装置
２…入力装置
Ｃ…ＩＤカード
１１，１２…ＩＤカードリーダ
２１，２２，２３…電気錠コントローラ
３１，３２，３３…電気錠
４２…液晶表示器
４３…カード挿入スリット
４４…磁気ヘッド
４５…電源用コネクタ
４６…通信用コネクタ
５０…ＣＰＵ
６２…電気錠用コネクタ
６３…電源用コネクタ
６４…通信用コネクタ
７０…ＣＰＵ
【図１】
0003617911.tif 000002
【図２】
0003617911.tif 000003
【図３】
0003617911.tif 000004
【図４】
0003617911.tif 000005
【図５】
0003617911.tif 000006
【図６】
0003617911.tif 000007
【図７】
0003617911.tif 000008
【図８】
0003617911.tif 000009
【図９】
0003617911.tif 000010